(57)【要約】  【課題】  支持構造に隣接する領域にシェルターを形成するために、支持構造に取り付ける日よけアセンブリを提供する。  【解決手段】  日よけアセンブリは、少なくとも１つのアーム・アセンブリを含んでおり、アーム・アセンブリは、第１のセグメントと、第１のセグメントに回動可能に結合される第２のセグメントと、それらのセグメントの一部の間に延在する付勢部材とを含み、付勢部材は、閉姿勢において、第１および第２のセグメントによって規定される領域内に実質的に隠される。また、付勢部材が取付ブラケットに対するリンク部材の回動に抗し、調整部が、付勢部材の圧縮を調整する。さらに、日よけアセンブリは、支持脚と、案内レールに支持脚を結合する回動アセンブリとを含む。回動アセンブリは、回動アセンブリの回動移動を制限する制止部材を含む。さらに、日よけアセンブリは、第１および第２の支持脚を備え、段階的長さに調整する固定部材を含む。  【選択図】  図１
2007062720.tif 000002
【特許請求の範囲】
【請求項１】
第１のセグメントと、前記第１のセグメントに回動可能に結合された第２のセグメントと、前記第１および第２のセグメントの間に設けられる付勢部材とを含む、少なくとも１つのアーム・アセンブリを備え、
前記第１および第２のセグメントが、前記付勢部材が露出する開姿勢と、前記付勢部材が前記第１および第２のセグメントによって規定される領域内に実質的に隠される閉姿勢の間で、互いに回動するように構成されることを特徴とする日よけアセンブリ。
【請求項２】
前記少なくとも１つのアーム・アセンブリが、第１のアーム・アセンブリおよび第２のアーム・アセンブリを備えることを特徴とする請求項１に記載の日よけアセンブリ。
【請求項３】
前記開姿勢よりも前記閉姿勢の場合に、各アーム・アセンブリにおける前記第１のセグメントと前記第２のセグメントの間の回動結合部が、互いに接近することを特徴とする請求項２に記載の日よけアセンブリ。
【請求項４】
アーム・アセンブリと、
支持構造に取り付けられるように構成される取付ブラケットと、
前記アーム・アセンブリと前記取付ブラケットの間に回動可能に取り付けられるリンク部材であって、前記アーム・アセンブリが、前記リンク部材に対して、第１の回動軸の周りを回動するように構成され、前記リンク部材が、前記取付ブラケットに対して、第２の回動軸の周りを回動するように構成されるリンク部材と、
前記取付ブラケットに対する、前記リンク部材の前記第２の回動軸周りの回動に抗するように構成される付勢部材と、
前記付勢部材の付勢を調整するように構成される調整部とを備えることを特徴とする、支持構造に取り付けられる日よけアセンブリ。
【請求項５】
前記調整部が調整ねじを備えることを特徴とする請求項４に記載の日よけアセンブリ。
【請求項６】
前記取付ブラケットに対する、前記リンク部材の前記第２の回動軸周りの回動を制限するように構成される制止部材をさらに備えることを特徴とする請求項４に記載の日よけアセンブリ。
【請求項７】
前記第２の回動軸が、前記第１の回動軸に対して実質的に直交することを特徴とする請求項４に記載の日よけアセンブリ。
【請求項８】
第１の端部および第２の端部を含み、前記第１の端部が支持構造に対して取り付けられるように構成されるアーム・アセンブリと、
前記アーム・アセンブリの前記第２の端部に対して取り付けられ、前記アーム・アセンブリによって支持構造に対して支持されるように構成される案内レールと、
支持脚と、
前記支持脚を前記案内レールに結合する回動アセンブリとを備え、
前記回動アセンブリは、
前記案内レールに取り付けられる回動ブラケットと、
前記支持脚が第１の方向に延びる第１の軸の周りを回動できるように、前記支持脚に回動可能に取り付けられる回動アームと、
前記回動アームを前記回動ブラケットに回動可能に取り付ける回動リンクとを含み、
前記回動アームが、前記回動リンクに対して、前記第１の方向に実質的に直交する第２の方向に延びる第２の軸の周りを回動するように構成され、
前記回動リンクが、前記回動ブラケットに対して、前記第１の方向および前記第２の方向に実質的に直交する第３の方向に延びる第３の軸の周りを回動するように構成され、
前記回動アセンブリは、前記回動ブラケットに対する前記回動リンクの回動可能範囲を制限するように構成される第１の制止部材をさらに含むことを特徴とする、支持構造に取り付けられる日よけアセンブリ。
【請求項９】
前記第１の制止部材は、前記案内レールとともに、前記回動ブラケットに対する前記回動リンクの回動を少なくとも約９０゜に制限することを特徴とする請求項８に記載の日よけアセンブリ。
【請求項１０】
前記回動リンクに対する前記回動アームの回動可能範囲を制限するように構成される第２の制止部材をさらに備えることを特徴とする請求項８に記載の日よけアセンブリ。
【請求項１１】
前記第２の制止部材は、前記回動リンクに対する前記回動アームの回動を少なくとも約９０゜に制限することを特徴とする請求項１０に記載の日よけアセンブリ。
【請求項１２】
第１の端部および第２の端部を含み、前記第１の端部が、支持構造に対して取り付けられるように構成されるアーム・アセンブリと、
前記アーム・アセンブリの前記第２の端部に対して取り付けられ、前記アーム・アセンブリによって支持構造に対して支持されるように構成される案内レールと、
支持脚と、
前記支持脚を前記案内レールに結合する回動アセンブリとを備え、
前記回動アセンブリは、
前記案内レールに取り付けられる回動ブラケットと、
前記支持脚が第１の方向に延びる第１の軸の周りを回動できるように前記支持脚に回動可能に取り付けられる回動アームと、
前記回動アームを前記回動ブラケットに回動可能に取り付ける回動リンクとを含み、
前記回動アームが、前記回動リンクに対して、前記第１の方向に実質的に直交する第２の方向に延びる第２の軸の周りを回動するように構成され、
前記回動リンクが、前記回動ブラケットに対して、前記第１の方向および前記第２の方向に実質的に直交する第３の方向に延びる第３の軸の周りを回動するように構成され、
前記回動アセンブリは、前記回動リンクに対する前記回動アームの回動可能範囲を制限するように構成される制止部材をさらに含むことを特徴とする支持構造に取り付けられる日よけアセンブリ。
【請求項１３】
前記制止部材は、前記回動リンクに対する前記回動アームの回動を少なくとも約９０゜に制限する請求項１２に記載の日よけアセンブリ。
【請求項１４】
第１の端部および第２の端部を含み、前記第１の端部が支持構造に対して取り付けられるように構成されるアーム・アセンブリと、
前記アーム・アセンブリの前記第２の端部に対して取り付けられ、前記アーム・アセンブリによって支持構造に対して支持されるように構成される案内レールと、
第１および第２の支持脚とを備え、
前記第１および第２の支持脚の各々が、
前記案内レールに取り付けられる第１のセグメントと、
前記第１のセグメントに取り付けられる第２のセグメントと、
前記支持脚を所定の段階的な長さに選択的に固定することを可能にするために、前記第１のセグメントに対して前記第２のセグメントを複数の相対位置から選択された位置に固定するように構成される固定部材とを含むことを特徴とする支持構造に取り付けられる日よけアセンブリ。
【請求項１５】
前記固定部材が、付勢部材によって固定位置に付勢される制止要素を備えることを特徴とする請求項１４に記載の日よけアセンブリ。
【請求項１６】
前記第１のセグメントが、
スロット幅を有する長スロットと、
前記スロットに沿って間隔を設けて順次配置され、前記スロットにつながる複数の拡大孔とを含み、
前記拡大孔が前記スロット幅より大きな寸法を有することを特徴とする請求項１４に記載の日よけアセンブリ。
【請求項１７】
前記固定部材が、前記第１のセグメントに対して前記第２のセグメントを前記複数の選択可能な相対位置から選択された位置に固定するために、前記複数の拡大孔から選択された拡大孔に収容されるように構成される制止要素を備えることを特徴とする請求項１６に記載の日よけアセンブリ。
【請求項１８】
前記第２のセグメントが、前記第１のセグメントに嵌め込まれるように収容され、
前記固定部材が、前記第１のセグメントの前記スロットを貫くように構成される部材連結具によって、前記第２のセグメントに取り付けられることを特徴とする請求項１７に記載の日よけアセンブリ。
【請求項１９】
日よけ用柔軟材のシートをさらに備え、
前記第２の支持脚が、
第３のセグメントと、
前記第２のセグメントに対して伸長する位置へ前記第３のセグメントを付勢するように構成される付勢部材とをさらに含み、
前記付勢部材は、所定の加重が前記日よけ用柔軟材にかかると、前記第２のセグメントに対する前記第３のセグメントの移動によって前記日よけ部材から加重が取り除かれ、前記付勢部材が前記第２のセグメントに対して伸長する前記位置へ前記第３のセグメントを再び付勢するように構成されることを特徴とする日よけアセンブリ。
【発明の詳細な説明】
【技術分野】
【０００１】
（関連出願の相互参照）
本発明は、参照によって本明細書に組み込まれている、２００５年１１月２８日に受理された米国仮出願第６０／７４０，０８０号、その全開示の利益を主張するものである。
【０００２】
本発明は、日よけに関し、より詳細には、支持構造に取り付ける日よけアセンブリ（組立部品）に関するものである。
【背景技術】
【０００３】
建物または自動車に従来の日よけアセンブリを設けることが知られている。例えば、レジャー・カーに日よけアセンブリを設けることが知られている。そのような従来の日よけアセンブリは、通常、レジャー・カーの壁の上部で、サイドドアの上方に取り付けられる。従来の日よけアセンブリは、様々な目的に対して有益であることがわかっている。例えば、従来の日よけアセンブリは、レジャー・カーの隣接領域を雨から遮ることによって、その領域を保護するために有益であることがわかっている。さらに、従来の日よけアセンブリは、直射日光を遮るのに有効であることがわかっている。
【発明の開示】
【発明が解決しようとする課題】
【０００４】
支持構造に隣接する領域にシェルター（風雨・日照を避ける手段）を設けるためには、支持構造に取り付ける日よけアセンブリが必要である。
【課題を解決するための手段】
【０００５】
本発明の態様は、支持構造に取り付ける日よけアセンブリを提供することである。
【０００６】
１つの態様によれば、日よけアセンブリは、第１のセグメントと、第１のセグメントに回動可能に結合された第２のセグメントと、を含む少なくとも１つのアーム・アセンブリを含んでいる。その少なくとも１つのアーム・アセンブリは、さらに、第１および第２のセグメントの一部の間に設けられる付勢部材を含んでいる。第１および第２のセグメントは、付勢部材が露出する開姿勢と、付勢部材が第１および第２のセグメントによって規定される領域内に実質的に隠される閉姿勢の間で、互いに回動するように構成されている。
【０００７】
他の態様によれば、支持構造に取り付ける日よけアセンブリが提供される。日よけアセンブリは、アーム・アセンブリと、支持構造に取り付けるように構成される取付ブラケットと、アーム・アセンブリと取付ブラケットの間に回動可能に取り付けられるリンク部材とを含む。アーム・アセンブリは、リンク部材に対して、第１の回動軸の周りを回動するように構成されており、そして、リンク部材は、取付ブラケットに対して、第２の回動軸の周りを回動するように構成されている。日よけアセンブリは、さらに、取付ブラケットに対するリンク部材の第２の回動軸周りの回動に抗するように構成される付勢部材と、付勢部材の付勢を調整するように構成される調整部とを含む。
【０００８】
さらに他の態様によれば、支持構造に取り付ける日よけアセンブリは、第１の端部および第２の端部を含むアーム・アセンブリであって、第１の端部が支持構造に対して取り付けるように構成されているアーム・アセンブリを備える。日よけアセンブリは、アーム・アセンブリの第２の端部に対して取り付けられる案内レールであって、アーム・アセンブリが、支持構造に対して案内レールを支持するように構成されている案内レールを含む。日よけアセンブリは、支持脚と、支持脚を案内レールに結合する回動アセンブリを含む。回動アセンブリは、案内レールに取り付けられる回動ブラケットと、支持脚が第１の方向に延びる第１の軸の周りを回動できるようにするために、支持脚に回動可能に取り付けられる回動アームとを含む。回動アセンブリは、さらに、回動アームを回動ブラケットに回動可能に取り付ける回動リンクを含む。回動アームは、回動リンクに対して、第１の方向に実質的に直交する第２の方向に延びる第２の軸の周りを回動するように構成されている。回動リンクは、回動ブラケットに対して、第１の方向および第２の方向に実質的に直交する第３の方向に延びる第３の軸の周りを回動するように構成されている。回動アセンブリは、回動リンクが回動ブラケットに対して回動することができる範囲を制限するように構成される第１の制止部材を含んでいる。
【０００９】
さらなる他の態様によれば、支持構造に取り付ける日よけアセンブリは、第１の端部および第２の端部を含むアーム・アセンブリであって、第１の端部が、支持構造に対して取り付けるように構成されているアーム・アセンブリを備える。日よけアセンブリは、アーム・アセンブリの第２の端部に対して取り付けられる案内レールであって、アーム・アセンブリが支持構造に対して案内レールを支持するように構成されている案内レールを含む。日よけアセンブリは、さらに、支持脚と、支持脚を案内レールに結合する回動アセンブリを含む。回動アセンブリは、案内レールに取り付けられる回動ブラケットと、支持脚が第１の方向に延びる第１の軸の周りを回動することを可能にするために、支持脚に回動可能に取り付けられる回動アームとを含む。回動アセンブリは、回動アームを回動ブラケットに回動可能に取り付ける回動リンクを含む。回動アームは、回動リンクに対して、第１の方向に実質的に直交する第２の方向に延びる第２の軸の周りを回動するように構成されている。回動リンクは、回動ブラケットに対して、第１の方向および第２の方向に実質的に直交する第３の方向に延びる第３の軸の周りを回動するように構成されている。回動アセンブリは、回動アームが回動リンクに対して回動することができる範囲を制限するように構成される制止部材を含む。
【００１０】
さらに他の態様によれば、支持構造に取り付ける１つの日よけアセンブリが、提供される。日よけアセンブリは、第１の端部および第２の端部を持つアーム・アセンブリであって、第１の端部が支持構造に対して取り付けるように構成されているアーム・アセンブリを含む。日よけアセンブリは、アーム・アセンブリの第２の端部に対して取り付けられる案内レールであって、アーム・アセンブリが支持構造に対して案内レールを支持するように構成されている案内レールを含む。日よけアセンブリは、さらに、第１および第２の支持脚の各々が、案内レールに取り付けられる第１のセグメントと、第１のセグメントに取り付けられる第２のセグメントと、第２のセグメントを第１のセグメントに対して、支持脚を複数の所定の段階的な長さのうち１つの長さに選択的に固定することを可能にするために、複数の選択可能な相対位置から選択された１つの位置に固定するように構成される固定部材とを含む第１および第２の支持脚を備える。
【発明を実施するための最良の形態】
【００１１】
上述およびその他の本発明の態様は、明細書および添付図面に基づいて、本発明に関する当業者にとって明白になるであろう。
【００１２】
本明細書における用語は、便宜上用いられるものであり、本発明を限定するものとして解釈すべきではない。さらに、図面において、同様の構成要素には同様の参照番号が付されている。
【００１３】
図１は、支持構造に取り付ける日よけアセンブリ１００を示している。本明細書における日よけアセンブリは、垂直面（例えば、建物の壁、移動車の壁、戸口など）のような、広範な支持構造に取り付けるものであってもよい。さらに、支持構造は、垂直面以外の面（例えば、天井、屋根構造など）、または、他の支持構造を有してもよい。例示においては、レジャー・カーの垂直壁を備える支持構造６００に取り付けられた日よけアセンブリ１００が示されている。その他の例においては、他の支持構造が設けられてもよい。本明細書における日よけアセンブリは、落下物または天候（例えば、日光、降雨）から保護するために用いるものであってもよく、および／または、蚊のような害虫との接触を阻止するための囲いの一部として用いられるものであってもよい。
【００１４】
例示されている日よけアセンブリ１００には、単独でまたは組み合わせて用いることができる本発明の様々な態様が設けられる。例えば、図示されているように、日よけアセンブリ１００は、第１のセグメント１２０および第１のセグメントに回動可能に結合された第２のセグメント１３０を含む、少なくとも１つのアーム・アセンブリ１１０を有することができる。第１のセグメントと第２のセグメントは、用途に応じて、構造が異なっていても同様でもよいし、長さが異なっていても同様でもよい。図示されているように、セグメント１２０、１３０は、直線状のセグメントであるが、その他の例において、それらのセグメントは、曲線状でもその他の形状であってもよい。
【００１５】
第２のセグメント１３０は、様々な手法によって、第１のセグメント１２０に回動可能に結合することができる。例えば、図８、図１０、図１２、および図１６に示すように、第１の回動部材１２２を第１のセグメント１２０に取り付け、第２の回動部材１２４を第２のセグメント１３０に取り付けた回動構造を設けることができる。ある例においては、第１のセグメント１２０と第２のセグメント１３０の間が仰角にならないようになっている。あるいは、図１０および図１６に示すように、第１のセグメント１２０と第２のセグメント１３０の間が仰角になるように、第１および第２の回動部材１２２、１２４を設計してもよい。仰角にする場合は、用途に応じて、様々な仰角を設定することができる。例えば、第１のセグメント１２０と第２のセグメント１３０の間が、０゜超、および約４５゜以下の仰角となるように設定することができる。さらに、第１のセグメント１２０と第２のセグメント１３０の間が、３゜超、および約２０゜以下の仰角となるように設定することができる。また、第１のセグメント１２０と第２のセグメント１３０の間が、約５゜または約１２゜の仰角となるように設定することができる。選択に応じて、図１に示すように、第１のセグメントと第２のセグメントの間が仰角となるように設定すれば、第１のセグメントおよび第２のセグメントより上部に、柔軟材１０２で構成されるシートを位置させることができる。
【００１６】
少なくとも１つのアーム・アセンブリ１１０は、さらに、第１のセグメント１２０の一部と第２のセグメント１３０の一部の間に設けられる付勢部材１４０を含むこともできる。また、第１のセグメント１２０と第２のセグメント１３０は、付勢部材１４０が露出する開姿勢（図８および図１０参照）と、付勢部材が第１および第２のセグメント１２０、１３０によって規定される領域内に実質的に隠される閉姿勢（図９参照）の間で互いに回動するように構成される。閉姿勢において付勢部材１４０が隠れる領域は、第１または第２のセグメントの一方に設けてもよい。この場合、第１および第２のセグメントのうちの他方は、付勢部材１４０が隠れる領域に対するカバーとしての役割を有する。あるいは、図示されているように、閉姿勢において付勢部材１４０が隠れる領域を、第１および第２のセグメントの一部によって規定することもできる。さらに、第１のセグメント、第２のセグメント、および／または付勢部材１４０を、図９に例示されている閉姿勢となるように構成してもよい。例えば、図８および図９に示すように、閉姿勢において、セグメント同士が合致するように、第２のセグメント１３０は、第１のセグメント１２０の内部または雌溝に嵌合するように構成される雄リップ部（唇状に突き出た部分）１３２を含んでいてもよい。さらに、付勢部材１４０は、第１および第２のセグメントが、開姿勢と閉姿勢の間で移動するときに、第１のセグメント１２０内へ付勢部材１４０を位置調整するように構成される位置調整構造１４２を含んでいてもよい。位置調整構造１４２は、例えば、第１のセグメント１２０の内側に対向する付勢部材側に厚みを提供するように、環状部材を付勢部材１４０の周囲に備えることもできる。第１のセグメントと第２のセグメントが閉姿勢に移動する際に、その環状部材は、第１のセグメント１２０の内部へ付勢部材１４０を位置調整する。
【００１７】
付勢部材１４０は、第１および第２のセグメント１２０、１３０を、開姿勢または閉姿勢に付勢するように構成される様々な構造を有することができる。例示においては、付勢部材１４０は、第１および第２のセグメント１２０、１３０を、開姿勢に付勢するように構成されている。また、第１および第２のセグメントを、閉姿勢に付勢する付勢部材を含んでもよい。さらに、付勢部材は、様々な部材により構築されてもよい。例えば、付勢部材は、コイルばねまたはその他の付勢機構を有することができる。例示においては、付勢部材１４０は、第１の端部１４０ａを第１のセグメント１２０の一部に取り付けて、第２の端部１４０ｂを第２のセグメント１３０の一部に取り付けたガス・スプリングを有する。
【００１８】
付勢部材１４０の両端部を、それぞれのセグメントに取り付けるために、様々な構造を用いることができる。例えば、図１５に示すように、付勢部材１４０の第１の端部１４０ａを、第１の取付ブラケット材１４４によって、第１のセグメント１２０に取り付けてもよい。同様に、図１６に示すように、付勢部材１４０の第２の端部１４０ｂを、第２の取付ブラケット材１４６によって、第２のセグメント１３０に取り付けてもよい。取付ブラケット材１４４、１４６を、第１および第２のセグメント１２０、１３０のそれぞれに、調整可能に取り付けることができる。例えば、それらのブラケットを、それぞれのセグメントの長さ方向に沿った選択的位置に取り付けて、用途に応じて付勢部材１４０の予圧を適正化してもよい。
【００１９】
本発明の例において、アーム・アセンブリ１１０を、支持構造６００と案内レール２２０の間に取り付けることができる。図４〜図７に示すように、支持構造６００に取り付けられる後部カバー４００に、アーム・アセンブリ１１０を取り付けるために、アーム取付アセンブリ１４８を用いてもよい。図６および図７に示すように、アーム取付アセンブリ１４８は、支持構造に取り付けるように構成される取付ブラケット１５０を有してもよい。図示されているように、取付ブラケット１５０は、後部カバー４００を介して、支持構造６００に間接的に取り付けられるように構成されている。図示されてはいないが、取付ブラケットを、支持構造に直接取り付けるように構成してもよい。
【００２０】
また、アーム取付アセンブリ１４８は、アーム・アセンブリ１１０と取付ブラケット１５０の間に回動可能に取り付けられたリンク部材１６０を含むこともできる。図示されているように、アーム・アセンブリ１１０は、リンク部材１６０に対して、第１の回動軸１７０の周りを回動するように構成され、リンク部材は、取付ブラケットに対して、第２の回動軸１８０の周りを回動するように構成されている。必須ではないが、図示されているように、第１の軸１７０と第２の軸１８０は、実質的に直交してもよい。図６に示すように、アーム・アセンブリ１１０の第１の端部１１２に回動デバイス１６２を取り付けて、アーム・アセンブリがリンク部材に対して第１の回動軸１７０の周りを回動するようにしてもよい。図６に例示するように、取付ブラケット１５０の穴部を貫く回動ボルト１５２を介して、取付ブラケット１５０にリンク部材１６０を回動可能に取り付けてもよく、リンク部材１６０は、ナット１５４を介して回動ボルト１５２の端部に取り付けられてもよい。
【００２１】
図６および図７に例示するように、取付ブラケット１５０は、取付ブラケット１５０の溝部１５８の溝下部１５８ａ内に嵌合するように構成される取付シム（詰め部材）１５６を備えてもよい。取付ブラケット１５０を後部カバー４００に取り付けるために、取付ねじ１５７ａ、１５７ｂが取付シム１５６を圧迫するように構成される。図７から明らかなように、取付ブラケット１５０を後部カバー４００に取り付けるために、取付ブラケット１５０の溝部１５８を、後部カバー４００の舌部４０２上に差し込んでもよい。次に、取付ブラケット１５０と後部カバー４００を連結（インターロック）するために、取付シム１５６を溝部１５８の溝下部１５８ａに挿入してもよい。次に、取付ねじ１５７ａ、１５７ｂを締めて、取付ブラケット１５０を後部カバー４００に取り付けることができる。
【００２２】
アーム取付アセンブリ１４８は、さらに、取付ブラケット１５０に対する、第２の回動軸１８０周りのリンク部材１６０の回動を制限するような構造を含むこともできる。例えば、図６および図７に示すように、ストップねじのような制止部材（ストップ部材）２１０を、取付ブラケット１５０の肩部１５５に対して作用するように、リンク部材１６０の穴部１６４に通してもよい。図７に示すように、制止部材２１０は、アーム・アセンブリおよびアーム・アセンブリに支持される構造の重量により生じる、第２の回動軸１８０周りのアーム・アセンブリ１１０の時計回り方向１８２の回動を制限することができる。
【００２３】
さらに、アーム取付アセンブリ１４８は、取付ブラケット１５０に対する第２の回動軸１８０周りのリンク部材１６０の回動に抗するように構成される付勢部材２０２をさらに含むこともできる。軸受ピン２０４の挿入部２０４ａを、付勢部材２０２の端部２０２ａに挿入してもよい。そして、軸受ピン２０４とともに、端部２０２ａをリンク部材１６０の背面の穴部（図示せず）に挿入してもよい。図７に示すように、付勢部材２０２は、第２の回動軸１８０より下で、後部カバー４００を圧迫する。したがって、図７を用いて説明すると、付勢部材２０２が第２の回動軸１８０の周りに反時計回り方向の反作用モーメント力を発生させ、アーム・アセンブリ１１０およびアーム・アセンブリに支持される構造の重量によって生じる、リンク部材が第２の回動軸１８０の周りを時計回り方向１８２に回動しようとする動作に対して抗することができる。付勢部材２０２は、様々な構造を有することができる。図示されているように、付勢部材２０２は、圧縮ばねを有してもよい。また、ゴム、板ばねのような弾性体、またはその他の付勢機構を用いてもよい。さらに、例示されている調整ねじのような調整部２００を設けて、付勢部材２０２の圧縮を調整するように構成してもよい。図示されているように、調整部２００を、穴部１６６に通し、軸受ヘッド２０４ｂを圧迫するように締めることによって、反作用モーメント力を増加させ、または、緩めることによって、反作用モーメント力を減少させてもよい。このように、調整部２００を設けることによって、ユーザが、日よけアセンブリ１００を微調整して、種々の環境に適応させたり、種々の負荷に適応させたりすることが可能になる。
【００２４】
前述のように、アーム・アセンブリ１１０を、支持構造６００と案内レール２２０の間に取り付けてもよい。上述したように、アーム取付アセンブリ１４８を用いて、アーム・アセンブリ１１０の第１の端部１１２を、後部カバー４００を介して、支持構造６００に据え付けてもよい。一例においては、図４、図８、図１０、図１３、および図１７に示すように、案内レール回動ブラケット２２２を用いて、アーム・アセンブリ１１０の第２の端部１１４を、案内レール２２０に回動可能に取り付けてもよい。
【００２５】
図４に示すように、日よけアセンブリ１００は、後部カバー４００に対して取り付けられるローラ・チューブ４１０を含むことができる。ローラ・チューブ４１０と、選択に応じてローラ・チューブ４１０に巻きつけられる日よけ用柔軟材１０２のシートとを格納するために、上カバー４２０を後部カバー４００の上方に設置することもできる。日よけアセンブリ１００の展開および収納を制御する制御機構に接続するためにローラ・チューブ４１０から延びる電気接続端４１２を備えるモータを、ローラ・チューブの内部に格納してもよい。図３は、日よけ用柔軟材１０２のシートが日よけアセンブリから分解された部分分解図である。日よけシート１０２の一方の端部を、ローラ・チューブ４１０に取り付けて、日よけシート１０２の他方の端部を、案内レール２２０の一部に係合させてもよい。案内レール２２０に取り付けられると、案内レール端取付ブラケット２２４ａ、２２４ｂを用いて、日よけシート１０２の対応する端部が案内レール２２０に固定されてもよい。図５に示すように、後部カバー４００は、１つまたは任意に追加される緩衝器４０４を備え、緩衝器４０４は、アーム・アセンブリが閉姿勢にあるときに各アーム・アセンブリ１１０と接するように構成される。閉姿勢においては、第１のセグメント１２０の表面が、緩衝器部材４０４と接触して、後部カバー４００に対する第１のセグメント１２０の位置を定めるのに役立つ。任意に追加される発泡部材４０６を設けて、閉姿勢において、アーム・アセンブリ１１０に傷が付くことを防ぐこともできる。
【００２６】
用途によっては、日よけアセンブリ１００のアーム・アセンブリ１１０は、単一のアーム・アセンブリを有してもよい。図示されているように、少なくとも１つのアーム・アセンブリ１１０が、２つのアーム・アセンブリ１１０ａ、１１０ｂを有することも可能である。さらに、３つ以上のアーム・アセンブリを組み込んでもよい。案内レール２２０の各端部に支持体を設けるためには、２つのアーム・アセンブリを設けることが望ましい。それらのアーム・アセンブリは互いに異なるものであってもよいが、例示されているアーム・アセンブリは、実質的に鏡像（面対象）となるように設計されている。
【００２７】
複数のアーム・アセンブリが設けられる場合は、それらを様々な姿勢で配置してもよい。例えば、図３から明らかなように、各アーム・アセンブリ１１０ａ、１１０ｂにおける第１のセグメント１２０と第２のセグメント１３０の間の回動結合部が、開姿勢よりも閉姿勢において、互いに接近する。このように第１および第２のアーム・アセンブリ１１０ａ、１１０ｂを配置することにより、開姿勢では、案内レール２２０の各端部を支持するために適切なアーム・アセンブリの間隔を実現し、一方、閉姿勢では、アーム・アセンブリをコンパクトに折り畳むことができるので有益である。
【００２８】
日よけアセンブリ１００は１つ以上の支持脚を備えてもよく、支持脚は、案内レール２２０に取り付けられ、アーム・アセンブリ１１０が開姿勢にあるときに、案内レール２２０を補助的に支持する。一例において、それらの支持脚を、案内レールの真下の地面に係合するように構成することができる。さらに、それらの支持脚は、後方に回動して、支持構造６００に係合するようにしてもよい。それらの支持脚は、回動可能に案内レールに取り付けられてもよく、また、案内レールの収納位置に畳み込まれるように設計されてもよい。展開位置から収納位置への支持脚の移動を容易にするために、回動アセンブリ５００を用いてもよい。
【００２９】
回動アセンブリ５００が、第１の支持脚２３０を案内レール２２０に回動可能に結合させるような様々な構成を有することにより、第１の支持脚２３０は案内レール２２０に対して収納位置に回動することができる。図２０〜２４は、本発明の特徴を適用する回動アセンブリ５００の一例の態様を示している。図示されているように、回動アセンブリ５００は、案内レール２２０に取り付けるための開口部５１２を含む回動ブラケット５１０を備えてもよい。回動ブラケット５１０は、開口部によらずに、タック溶接または接着などによって案内レール２２０に結合されてもよい。また、回動アセンブリ５００は、第１の支持脚２３０が第１の軸５２２の回りを第１の方向に回動できるように、第１の支持脚２３０に回動可能に取り付けられる回動アーム５２０を含むこともできる。回動アセンブリ５００は、さらに、回動アーム５２０を回動ブラケット５１０に回動可能に取り付ける回動リンク５３０を含むこともできる。回動リンク５３０に対して、第１の方向に実質的に直交する第２の方向に延びる第２の軸５３２の回りを回動するように、回動アーム５２０を構成することができる。さらに、回動ブラケット５１０に対して、第１の方向５２２および第２の方向５３２に実質的に直交する第３の方向に延びる第３の軸５３４の回りを回動するように、回動リンク５３０を構成することができる。さらに、回動アセンブリ５００は、回動リンク５３０が回動ブラケット５１０に対して回動することができる範囲を制限するように構成される第１の制止部材５３６を含むこともできる。また、回動アセンブリ５００は、回動アーム５２０が回動リンク５３０に対して回動することができる範囲を制限するように構成される第２の制止部材５２４を含むこともできる。
【００３０】
回動アセンブリ５００は、上述の構造関係となるように、様々な構成をとることができる。例えば、回動ブラケット５１０は、取付部５１４、連結部５１６、および、取付部５１４と連結部５１６をつなぐ首状部５１８を含むことができる。図２４に示すように、連結部５１６は、回動穴部５１７を含んでもよく、回動穴部５１７は、第１の制止部材５３６に干渉して第３の回動軸５３４の周りの回動に抗するように構成される凸部５１５を備えてもよい。
【００３１】
また、回動リンク５３０は、第３の回動軸５３４に沿って、回動リンク５３０の上面から延在する回動ピン５３５を含むこともできる。回動ピン５３５を、第１の制止部材５３６とともに、回動ブラケット５１０の回動穴部５１７の内部に挿入して、所定の位置に留めることができる。図２０および２１に示すように、ワッシャ５４６を、連結部５１６の上面に配置してもよい。そして、留具５４８が、ワッシャ５４６および連結部５１６の上面の開口部を貫いて挿入され、回動ピン５３５の内側のねじ穴５３５ａに螺合されてもよい。互いに取り付けられると、図２４に示すように、回動リンク５３０の第１の制止部材５３６は、取付ブラケット５１０の凸部５１５と相互作用して、回動リンク５３０が回動ブラケット５１０に対して回動することができる範囲を制限するように構成される。
【００３２】
回動アセンブリ５００は、また、回動アーム５２０が回動リンク５３０に対して回動することができる範囲を制限するように構成される第２の制止部材５２４を含むこともできる。第１および第２の制止部材５３６、５２４が共に図示されているが、回動アセンブリ５００は、第１の制止部材５３６または第２の制止部材５２４のいずれか一方のみを含んでもよい。図２１に示すように、回動アーム５２０は、第２の回動軸５３２に沿って、回動アーム５２０の側面から延在する回動ピン５２５を含むこともできる。回動ピン５２５を、第２の制止部材５２４とともに、回動リンク５３０内に設けられる回動穴部５３８の内部に挿入して、所定の位置に留めることができる。図２０および２１に示すように、ワッシャ５５０を、回動リンク５３０の側面に配置してもよい。そして、留具５５２が、ワッシャ５５０および回動リンク５３０の側面の開口部を貫いて挿入され、回動ピン５２５の内側のねじ穴５２５ａに螺合されてもよい。互いに取り付けられると、図２３に示すように、回動アーム５２０の第２の制止部材５２４は、スロット５４０ａの内部を移動して、第１および第２の肩部５４２ａ、５４４ａと相互作用し、回動アーム５２０が回動リンク５３０に対して第２の回動軸５３２の周りに回動することができる範囲を制限するように構成される。
【００３３】
図示されていないが、その他の構成では、回動アーム５２０の回動ピン５２５が、回動リンク５３０の反対側の側面の開口部を通して挿入され、これにより回動アッセンブリ５００が案内レール２２０の反対側の端部に取り付けられてよい。互いに取り付けられると、図２２において、回動アーム５２０の第２の制止部材５２４が、第２の弧状スロット５４０ｂの内部を移動して、第２の弧状スロット５４０ｂの第１および第２の肩部５４２ｂ、５４４ｂと相互作用し、回動アーム５２０が回動リンク５３０に対して第２の回動軸５３２の周りに回動することができる範囲を制限するように構成される。このように、第２の弧状スロット５４０ｂにより、回動リンク５３０の対向する面のうちのいずれか一方側へ回動アーム５２０を取り付けることができ、回動アセンブリ５００を、右側または左側の回動アセンブリとして取り付けることができる。
【００３４】
図１８を用いて、展開位置から収納位置への第１の支持脚２３０の回動を支援するための回動アセンブリ５００の適用例を説明する。第１の支持脚２３０を収納するために、まず、ユーザは第１の支持脚２３０を回動矢印Ｒ1に沿って約９０°第１の軸５２２の周りを回動させてもよい。第１の支持脚２３０が回動矢印Ｒ1に沿って回動する範囲を制限するために、制止部材が用いられてもよい。
【００３５】
次に、ユーザは、第１の支持脚２３０を回動矢印Ｒ2に沿って第２の軸５３２の周りを回転させてもよい。第２の制止部材５２４と第２の肩部５４４ａの間の相互作用によって、第１の支持脚２３０が回動矢印Ｒ2の反対方向へ回動することが妨げられる。ユーザが、第２の軸５３２の周りをＲ2方向に第１の支持脚２３０を回転させると、第２の制止部材５２４が弧状スロット５４０ａの内部を移動して、第２の制止部材５２４が第１の肩部５４２ａに係合し、回動アーム５２０が回動リンク５３０に対して回動できる範囲を制限する。例えば、第２の制止部材５２４は、回動アーム５２０の回動リンク５３０に対する回動範囲を少なくとも約９０゜に制限する。さらなる例では、第２の制止部材５２４は、回動アーム５２０の回動リンク５３０に対する回動範囲を約９０゜に制限する。
【００３６】
ユーザは、第１の支持脚２３０を回動矢印Ｒ3に沿って第３の軸５３４の周りに回転させてもよい。第１の制止部材５３６と凸部５１５の間の相互作用によって、第１の支持脚２３０が回動矢印Ｒ3の反対方向へ回転することが妨げられる。ユーザが、第３の軸５３４の周りをＲ3方向に第１の支持脚２３０を回転させると、第１の制止部材５３６が、回動穴５１７の内部を移動して、第１の支持脚２３０が、案内レール２２０の背部に係合する。このように、案内レール２２０とともに、第１の制止部材５３６が、回動リンク５３０の回動ブラケット５１０に対する回動を制限する。例えば、案内レール２２０とともに、第１の制止部材５３６は、回動リンク５３０の回動ブラケット５１０に対する回動を、少なくとも約９０゜に制限する。さらなる例では、案内レール２２０とともに、第１の制止部材５３６は、回動リンク５３０の回動ブラケット５１０に対する回動を約９０゜に制限してもよい。第３の回動軸５３４の周りを回動した後、第１の支持脚２３０は、案内レール２２０内の領域に収納される。
【００３７】
本発明の一例によれば、日よけアセンブリ１００は、前述の第１の支持脚２３０に加え、第２の支持脚３３０を含んでもよい。図１９および図２６に示すように、各支持脚２３０、３３０は、第１のセグメント２４０、３４０を含み、第１のセグメント２４０、３４０は、例えば上述の回動アセンブリ５００を備える案内レール２２０に取り付けられるように構成されてもよい。図２７では、第１のセグメント３４０に関して、第１のセグメントに回動アセンブリ５００を取り付ける工程が示されている。ここで、同様の工程が、第１のセグメント２４０に適用できることはいうまでもない。図２７に示すように、端部キャップ３４８に、例えばリベット３４９またはその他の留め構造を介して、第１のセグメント３４０が取り付けられてもよい。そして、回動アセンブリ５００を端部キャップ３４８に回動可能に取り付けるために、回動ピン５０２を用いてもよい。
【００３８】
さらに、各支持脚２３０、３３０は、第１のセグメント２４０、３４０に取り付けられた第２のセグメント２５０、３５０と、固定部材２６０、３６０を含んでもよく、固定部材２６０、３６０は、支持脚２３０、３３０を所定の段階的な長さのうち１つの長さに選択的に固定することを可能にするために、第２のセグメント２５０、３５０を、第１のセグメント２４０、３４０に対して、複数の選択可能な相対位置から選択された１つの位置に固定するように構成される。支持脚２３０、３３０の各々を段階的に伸長させて固定することができれば、無段調整支持脚では達成することが困難であった、各支持脚２３０、３３０を同一の長さにすることが可能となり、有益である。
【００３９】
第１のセグメント、第２のセグメント、および／または、固定部材は、段階的な長さ調整を実現するためには、様々な構造を適用ことができる。さらに、段階的な長さ調整を実現するために、各支持脚は、それぞれ異なる構成を備えてもよいし、また、実質的に同一な構成を備えてもよい。例えば、図示されているように、各第１のセグメント２４０、３４０は、スロット幅（ｗ）を持つ細長いスロット２４２、３４２、および、複数の拡大孔２４４、３４４を含むことができ、複数の拡大孔２４４、３４４は、スロット２４２、３４２に沿って間隔を設けて順次配置され、スロット２４２、３４２につながる。図示されているように、拡大孔２４４、３４４は、スロット幅（ｗ）より大きな寸法（ｄ）をそれぞれ備えている。図２８は固定部材３６０の分解図の一例を図示したものである。第２の支持脚の固定部材３６０が第１の支持脚の固定部材２６０と同様であってもよいことから、図２８には１つの固定部材が示されている。図２８を参照すると、固定部材３６０は、ハンドル３６８、ハンドル３６８に取り付けられた制止要素（ストップ要素）３６２、および制止要素３６２から延在する部材連結具３６６を備えた引手部材３６１を含むことができる。制止要素３６２は、第１のセグメント３４０の拡大孔３４４の形状に一致する形状を有してもよく、また、部材連結具３６６は、第１のセグメント３４０のスロット３４２を貫いて延在するように構成されていてもよい。付勢部材３６４は、制止要素３６２を固定位置に付勢するように構成されていてもよい。引手部材３６１を第２のセグメント３５０に取り付けるために、部材連結具３６６が、第２のセグメント３５０の開口部３５２を通して挿入される。そして、圧縮コイルばねのような付勢部材３６４が、部材連結具３６６に挿入され、予圧されてもよい。さらに、プレス・ワッシャ３６５が部材連結具３６６に挿入され、クリップのような留具３６７が、付勢部材３６４の予圧状態を保つために、部材連結具３６６の端部の溝内に収容される。このように、付勢部材３６４は、引手部材３６１を第２のセグメント３５０に向かって付勢するために有効である。
【００４０】
図２６を参照すると、第２のセグメント３５０を、嵌め込むように第１のセグメント３４０の内部に収容してもよい。そして、嵌め込まれた第１のセグメント３４０が第２のセグメント３５０からはずれることを防ぐために、固定要素３５４が第１のセグメント３４０の端部３４１に取り付けられてもよい。第２の支持脚３３０の長さを調整するために、ハンドル３６８を付勢部材３６４による付勢に逆らって外側に引いて、制止要素３６２を、拡大孔３４４との係合から引き抜いてもよい。ユーザは、ハンドル３６８を外側に引いたままで、第１のセグメント３４０に対して、第２のセグメント３５０を嵌め込み式に調整する。セグメント３４０、３５０を相対的に移動させると、部材連結具３６６は、細長いスロット３４２内を自由に移動する。所望の長さを得ると、ユーザがハンドルを離す。そして、付勢部材３６４が、引手部材を引き込み、制止要素３６２が、スロット３４２の外面に付勢され、もしくは、拡大孔３４４の内部に付勢される。制止要素が、スロット３４２の外面に付勢された場合は、制止要素３６２が拡大孔３４４にそろうまで、ユーザがセグメント間の相対位置の微調節を行う。一直線上にそろうと、付勢部材３６４が制止要素３６２を拡大孔３４４内に自動的に引き入れ、第２の支持脚３３０を、選択された段階的な長さに固定する。同様に、第１の支持脚２３０に対して調整を行い、同一の長さにすることができる。
【００４１】
図２６、図２８、および図２９に示すように、第２の支持脚３３０は、第３のセグメント３７０、第２のセグメント３５０に対して伸長した位置に第３のセグメント３７０を付勢するように構成される付勢部材３８０を含むこともできる。図２９に示すように、取付ブラケット３８２を、付勢部材３８０の第１の端部３８１ａに取り付けてよく、また、付勢部材３８０の第２の端部３８１ｂを、第３のセグメント３７０の１つの端部に取り付けてよい。そして、取付ブラケット３８２を、付勢部材３８０の第１の端部３８１ａとともに、第２のセグメント３５０の内部に挿入してよい。また、リベットのような留具３８４を用いて、取付ブラケット３８２を、第２のセグメント３５０に取り付けてもよい。付勢部材は、様々な構成を含むことができる。例えば、付勢部材３８０は、ガス・スプリングを有してもよいし、その他の手段を用いてもよい。
【００４２】
図３０〜図３２は、第２および第３のセグメント４５０、４７０のその他の例を示している。付勢部材４８０は、ロッド４８４の周囲に取り付けられた圧縮ばね４８２を備える。付勢部材４８０は、第２のセグメント４５０に対して伸長した位置に、第３のセグメント４７０を付勢するように構成されている。図３１および図３２に示すように、取付ブラケット４８６を、付勢部材４８０の第１の端部４８１ａに取り付けてもよく、また、付勢部材４８０の第２の端部４８１ｂを、第３のセグメント４７０の内部に固定するように取り付けてもよい。例えば、クロス部材（横材）４８８を、第３のセグメント４７０の端部の水平スロット内に収容してもよく、また、ねじ４９０ａ、４９０ｂによって、クロス部材４８８を、第３のセグメント４７０の内部に固定してもよい。図３１に示すように、取付ブラケット４８６を、第２のセグメント４５０の内に挿入して、リベット４９２または他の留具を用いて、第２のセグメント４５０に留めてもよい。
【００４３】
図２Ａおよび図２Ｂを用いて、支持脚２３０、３３０の使用方法を説明する。前述のように、図２Ａに示す第１および第２の支持脚は、各脚の長さを実質的に同一の長さに設定して、水平な案内レール２２０が実質的に水平になるように、段階的な長さに調整される。さらに、第２の支持脚３３０は、第３のセグメント３７０および付勢部材３８０を含むこともできる。第２の支持脚３３０は、日よけアセンブリを段階的に調節することを可能にするとともに、所定の加重（Ｗ）がかかった場合に加重を取り除く機能を備える。図２Ｂに示すように、所定の加重（Ｗ）が、日よけ用柔軟材１０２の一部にかかると、付勢部材３８０は、第２のセグメント３５０に対する第３のセグメント３７０の移動によって、日よけ材料１０２から加重が取り除かれ、付勢部材３８０が、第２のセグメント３５０に対して伸長した位置になるように、第３のセグメント３７０を再び付勢するように構成される。
【００４４】
日よけアセンブリ１００の操作を説明する。完全に収納された位置から、ユーザは、日よけアセンブリ１００を展開するための制御機器を操作する。展開中に、アーム・アセンブリ１１０ａ、１１０ｂによって、案内レール２２０が後部カバー４００から離れ始め、日よけシート１０２がローラ・チューブ４１０から広がり始める。展開中に、アーム・アセンブリ１１０ａ、１１０ｂが案内レール２２０を速く広げすぎることを防止するために、ローラ・チューブ４１０の内部のモータをブレーキ機構として機能させることができる。完全に展開した位置を知らせるためのリミット・スイッチを作動させて、モータが後部カバー４００に対する案内レール２２０の過移動を防止することもできる。展開すると、各支持脚２３０、３３０を案内レール２２０から展開して、下方に回動させてもよい。各支持脚の底部を地面に係合させてもよく、底部を支持構造６００の側面に取り付けてもよい。各固定部材２６０、３６０のハンドル３６８を引いて、制止要素３６２を拡大孔３４４からそれぞれ離し、支持脚の全体の長さを調整してもよい。所望の長さが達成されると、引手ハンドル３６８を離して、制止要素３６２を適切な拡大孔３４４に引き戻すようにしてもよい。
【００４５】
日よけアセンブリ１００を収納するためには、支持脚２３０、３３０が、上方に回動して、案内レール２２０に対して格納される。ユーザが制御装置を作動させ、モータによって、日よけシート１０２がローラ・チューブ４１０内のローラ・チューブ４１０へ巻き取られる。ローラ・チューブ４１０が日よけ材料１０２を引き込むにつれ、案内レール２２０が、アーム・アセンブリ１１０ａ、１１０ｂによる付勢に逆らって、後部カバー４００に向かって戻り始める。完全に収納された場合にモータを止めるためのトリガ機構を設けることができる。トリガ機構は、例えば、リミット・スイッチなどの、モータの過負荷状態によって、モータに供給される電圧または電流の所定の変化に対して反応する制御手段を備えていてもよい。
【００４６】
本発明の上記の説明から、当業者によって、改良、変形、および変更が認識される。当業者に理解される範囲において、これらの改良、変形、および変更は、本請求の範囲によってカバーされるものである。
【図面の簡単な説明】
【００４７】
【図１】本発明の態様に関する、支持構造に取り付けられた日よけアセンブリの側面図である。
【図２Ａ】図１の、支持構造に取り付けられた日よけアセンブリの正面図である。
【図２Ｂ】降雨時における、図２Ａの日よけアセンブリの正面図である。
【図３】本発明の態様に関する、日よけアセンブリの部分分解斜視図である。
【図４】本発明の態様に関する、日よけアセンブリの他の部分分解斜視図である。
【図５】本発明の態様に関する、日よけアセンブリのさらに他の部分分解斜視図である。
【図６】図５の範囲６における、日よけアセンブリの一部の拡大図である。
【図７】日よけアセンブリの一部の組み立てられた側面図である。
【図８】本発明の態様に関する、開姿勢におけるアーム・アセンブリの一例を示した平面図である。
【図９】閉姿勢における図８のアーム・アセンブリの平面図である。
【図１０】図８のアーム・アセンブリの側面図である。
【図１１】図８の範囲１１における、日よけアセンブリの一部の拡大図である。
【図１２】図８の範囲１２における、日よけアセンブリの一部の拡大図である。
【図１３】図８の範囲１３における、日よけアセンブリの一部の拡大図である。
【図１４】図１０の範囲１４における、日よけアセンブリの一部の拡大図である。
【図１５】図１０の範囲１５における、日よけアセンブリの一部の拡大図である。
【図１６】図１０の範囲１６における、日よけアセンブリの一部の拡大図である。
【図１７】図１０の範囲１７における、日よけアセンブリの一部の拡大図である。
【図１８】日よけアセンブリの案内レールに対して、展開位置から収納位置に回動する第１の支持脚の一例を示した斜視図である。
【図１９】図１８の第１の支持脚の部分組立分解図である。
【図２０】本発明の態様に関する、支持脚のための回動アセンブリの一例を示した斜視図である。
【図２１】図２０の回動アセンブリの組立分解図である。
【図２２】図２０の線２２−２２に沿った回動アセンブリの断面図である。
【図２３】図２０の線２３−２３に沿った回動アセンブリの断面図である。
【図２４】図２０の線２４−２４に沿った回動アセンブリの断面図である。
【図２５】本発明の態様に関する、第２の支持脚の一例を示した斜視図である。
【図２６】図２５の第２の支持脚の部分組立分解図である。
【図２７】図２６の第２の支持脚の第１のセグメントの組立分解図である。
【図２８】図２６の第２の支持脚の第２のセグメントおよび第３のセグメントの部分組立分解図である。
【図２９】図２８の第２の支持脚の第３のセグメントの組立分解図である。
【図３０】本発明の態様に関する、第２の支持脚の第２および第３のセグメントを例示する斜視図である。
【図３１】図３０の第２の支持脚の第２および第３のセグメントの部分組立分解図である。
【図３２】図３１の第２の支持脚の第３のセグメントの組立分解図である。
【符号の説明】
【００４８】
１００  日よけアセンブリ
１０２  日よけ材料
１１０、１１０ａ、１１０ｂ  アーム・アセンブリ
１２０、２４０、３４０  第１のセグメント
１３０、２５０、３５０、４５０  第２のセグメント
１４０、２０２、３６４、３８０、４８０  付勢部材
１４８  アーム取付アセンブリ
１５０  取付ブラケット
１６０  リンク部材
２００  調整部
２２０  案内レール
２３０  第１の支持脚
２６０、３６０  固定部材
３３０  第２の支持脚
３７０、４７０  第３のセグメント
４００  後部カバー
５００  回動アセンブリ
５１０  回動ブラケット
５２０  回動アーム
５３０  回動リンク
６００  支持構造
【手続補正書】
【提出日】平成18年11月14日(2006.11.14)
【手続補正１】
【補正対象書類名】図面
【補正対象項目名】全図
【補正方法】追加
【補正の内容】
【図１】
2007062720.tif 000003
【図２Ａ】
2007062720.tif 000004
【図２Ｂ】
2007062720.tif 000005
【図３】
2007062720.tif 000006
【図４】
2007062720.tif 000007
【図５】
2007062720.tif 000008
【図６】
2007062720.tif 000009
【図７】
2007062720.tif 000010
【図８】
2007062720.tif 000011
【図９】
2007062720.tif 000012
【図１０】
2007062720.tif 000013
【図１１】
2007062720.tif 000014
【図１２】
2007062720.tif 000015
【図１３】
2007062720.tif 000016
【図１４】
2007062720.tif 000017
【図１５】
2007062720.tif 000018
【図１６】
2007062720.tif 000019
【図１７】
2007062720.tif 000020
【図１８】
2007062720.tif 000021
【図１９】
2007062720.tif 000022
【図２０】
2007062720.tif 000023
【図２１】
2007062720.tif 000024
【図２２】
2007062720.tif 000025
【図２３】
2007062720.tif 000026
【図２４】
2007062720.tif 000027
【図２５】
2007062720.tif 000028
【図２６】
2007062720.tif 000029
【図２７】
2007062720.tif 000030
【図２８】
2007062720.tif 000031
【図２９】
2007062720.tif 000032
【図３０】
2007062720.tif 000033
【図３１】
2007062720.tif 000034
【図３２】
2007062720.tif 000035
【外国語明細書】
2007062720000001.pdf